(57)【要約】      （修正有）【課題】化粧カバー本体を壁面に沿わせることなく、当該化粧カバー本体の各係止具に対し係止可能な壁面の合致位置に各吊持具を簡単かつ確実に取り付けることができる室内空調機用化粧カバーを提供する。【解決手段】室内空調機ＥのケーシングＥ１を覆う化粧カバー本体を備えた室内空調機用化粧カバーに、左右の上部側板、各上部側板同士を連結する天板、室内空調機Ｅ上部の吸い込み口を通風可能に覆う上部通風板、左右の下部側板、及び各下部側板同士を連結する下部正面板と、各上部側板に対し各下部側板を連結する連結具と、天板の下面後端位置に取り付けられ、壁面に設けた左右の吊持具に夫々係止される左右の係止具と、を備える。各吊持具の設置片を、ケーシングＥ１の上端に沿って壁面に仮止めしたガイドペーパー５１の左右両端部に予め記されている切欠孔５２、５２を介して壁面Ｋへの左右の取付位置に夫々合致させた状態で取り付ける。【選択図】図１９
0003204439.tif 000002
【実用新案登録請求の範囲】
【請求項１】
室内空調機のケーシングを室内側から覆う化粧カバー本体を備えた室内空調機用化粧カバーであって、
前記化粧カバー本体は、
前記室内空調機の左右両側面を外側方から覆う左右一対の側板と、
前記各側板同士を上部で連結する連結板と、
前記室内空調機の前面上部に設けられた吸い込み口を通風可能に前方から覆う上部通風板と、
前記室内空調機の前面下部を前方から覆う下部正面板と、
前記ケーシングの周囲の壁面に設けられた左右の吊持具にそれぞれ係止される左右の係止具と、
を備え、
前記各吊持具は、前記ケーシングに沿ってその周囲の壁面に仮止めされたガイドペーパーに予め記されている前記壁面への左右の取付位置にそれぞれ合致させた状態で取り付けられていることを特徴とする室内空調機用化粧カバー。
【請求項２】
前記上部通風板は、前記連結板に蝶番を介して開閉自在に取り付けられている請求項１に記載の室内空調機用化粧カバー。
【請求項３】
前記下部正面板は、前記各側板同士を下端で連結する下端連結板に蝶番を介して開閉自在に取り付けられ、前記室内空調機の前面下部に設けられた吹き出し口を前方へ開口させるように開放させている請求項１又は請求項２に記載の室内空調機用化粧カバー。
【請求項４】
前記各側板は、前記連結板及び前記上部通風板がそれぞれ連結され、かつ前記室内空調機の上部左右両側面を外側方から覆う上部側板と、前記下部正面板が連結され、前記室内空調機の下部左右両側面を外側方から覆う下部側板と、前記上部側板に対し前記下部側板を上下方向へ離接させるように伸縮自在に連結する連結具とを備えており、
前記連結具は、前記各上部側板に対し前記各下部側板を前記下部正面板と共に下方へ離間させて前記室内空調機の前面下部に設けられた吹き出し口を前方へ開口させるように伸長している請求項１又は請求項２に記載の室内空調機用化粧カバー。
【請求項５】
前記各側板の下端部には、前記室内空調機の下面を下方から覆う遮蔽板が取り付けられている請求項１、請求項２又は請求項４に記載の室内空調機用化粧カバー。
【請求項６】
前記各側板の下端後側には、前記室内空調機の左右両側のいずれか一方から外側方へ導出されるダクトの導出方向に応じて取り外される左右一対のダクト用脱着板が脱着自在に取り付けられている請求項１〜請求項５のいずれか１つに記載の室内空調機用化粧カバー。
【請求項７】
前記各側板の下端後部同士が、連結材によって左右方向に連結されている請求項１〜請求項６のいずれか１つに記載の室内空調機用化粧カバー。
【請求項８】
前記上部通風板及び前記下部正面板には、それぞれスリットが設けられている請求項１〜請求項７のいずれか１つに記載の室内空調機用化粧カバー。
【考案の詳細な説明】
【技術分野】
【０００１】
本考案は、室内空調機のケーシングを室内側から覆う化粧カバー本体を備えた室内空調機用化粧カバーに関する。
【背景技術】
【０００２】
従来より、この種の室内空調機用化粧カバーとしては、部屋の壁面に設置された室内空調機のケーシングを室内側つまり上下左右両側方及び前方から覆う化粧カバー本体を備え、この化粧カバー本体をゴムを介して壁面に取り付けると共に、前方を覆う板材にフィルターを設けて、外気からの粉じんや花粉などの室内への侵入を抑えるようにしたものが知られている（特許文献１参照）。
【先行技術文献】
【特許文献】
【０００３】
【特許文献１】特開２０１２−２１５３７２号公報
【考案の概要】
【考案が解決しようとする課題】
【０００４】
ところで、前記従来のものでは、化粧カバー本体を壁面に取り付けるに当たり、取付具が必要となる。このような取付具としては、ケーシングの周囲の壁面に設けられた左右の吊持具と、化粧カバー本体に設けられ、各吊持具にそれぞれ係止される左右の係止具とが用いられることがある。
【０００５】
その場合、化粧カバー本体自体が室内空調機のケーシングを覆う非常に大きく嵩張ったものであることから、化粧カバー本体をケーシングの周囲の壁面に沿わせた状態で、当該化粧カバー本体の左右の係止具に対し左右の吊持具が係止可能に合致するように位置合わせしながら壁面に取り付ける作業が非常に困難なものとなる。そのため、各吊持具を単独で位置合わせしてケーシングの周囲の壁面に取り付けることが考えられる。しかし、これでは、化粧カバー本体の各係止具を仮想して各吊持具を取り付けなければならず、化粧カバー本体の各係止具に対して係止可能な壁面の合致位置に各吊持具を確実に取り付ける作業が非常に困難であった。
【０００６】
本考案は、かかる点に鑑みてなされたものであり、その目的とするところは、化粧カバー本体を壁面に沿わせることなく、当該化粧カバー本体の各係止具に対し係止可能な壁面の合致位置に各吊持具を簡単かつ確実に取り付けることができる室内空調機用化粧カバーを提供することにある。
【課題を解決するための手段】
【０００７】
前記目的を達成するため、本考案では、室内空調機のケーシングを室内側から覆う化粧カバー本体を備えた室内空調機用化粧カバーとする。更に、前記化粧カバー本体に、前記室内空調機の左右両側面を外側方から覆う左右一対の側板と、前記各側板同士を上部で連結する連結板と、前記室内空調機の前面上部に設けられた吸い込み口を通風可能に前方から覆う上部通風板と、前記室内空調機の前面下部を前方から覆う下部正面板と、前記ケーシングの周囲の壁面に設けられた左右の吊持具にそれぞれ係止される左右の係止具と、を備える。そして、前記各吊持具を、前記ケーシングに沿ってその周囲の壁面に仮止めされたガイドペーパーに予め記されている前記壁面への左右の取付位置にそれぞれ合致させた状態で取り付けることを特徴としている。
【０００８】
また、前記上部通風板を、前記連結板に蝶番を介して開閉自在に取り付けていてもよい。
【０００９】
また、前記下部正面板を、前記各側板同士を下端で連結する下端連結板に蝶番を介して開閉自在に取り付け、前記室内空調機の前面下部に設けられた吹き出し口を前方へ開口させるように開放させていてもよい。
【００１０】
これに対し、前記各側板を、前記連結板及び前記上部通風板がそれぞれ連結され、かつ前記室内空調機の上部左右両側面を外側方から覆う上部側板と、前記下部正面板が連結され、前記室内空調機の下部左右両側面を外側方から覆う下部側板と、前記上部側板に対し前記下部側板を上下方向へ離接させるように伸縮自在に連結する連結具とを備える。そして、前記連結具を、前記各上部側板に対し前記各下部側板を前記下部正面板と共に下方へ離間させて前記室内空調機の前面下部に設けられた吹き出し口を前方へ開口させるように伸長させていてもよい。
【００１１】
また、前記各側板の下端部に、前記室内空調機の下面を下方から覆う遮蔽板を取り付けていてもよい。
【００１２】
また、前記各側板の下端後側に、前記室内空調機の左右両側のいずれか一方から外側方へ導出されるダクトの導出方向に応じて取り外される左右一対のダクト用脱着板を脱着自在に取り付けていてもよい。
【００１３】
また、前記各側板の下端後部同士を、連結材によって左右方向に連結していてもよい。
【００１４】
更に、前記上部通風板及び前記下部正面板に、それぞれスリットを設けていてもよい。
【考案の効果】
【００１５】
以上、要するに、化粧カバー本体は、各側板、連結板、上部通風板、及び下部正面板を備え、室内空調機のケーシングを室内側から覆ってユーザーの好みに応じた雰囲気を醸し出している。その場合、ケーシングに沿ってその周囲の壁面に仮止めしたガイドペーパーに予め記されている壁面への左右の取付位置にそれぞれ合致させた状態で左右の吊持具を取り付けることで、嵩張る化粧カバー本体を壁面に沿わせることなく、当該化粧カバー本体の各係止具に対し係止可能な壁面の合致位置に各吊持具を簡単かつ正確に取り付けることができる。
【００１６】
また、上部通風板を連結板に蝶番を介して開閉自在に取り付けることで、上部通風板を開放させると、室内空調機のケーシング上部の吸い込み口からフィルターを簡単に取り外して清掃することができる。
【００１７】
また、下端連結板に蝶番を介して開閉自在な下部正面板を、室内空調機の前面下部の吹き出し口を前方へ開口させるように開放させることで、下部正面板の開放によって吹き出し口が前方へ開口し、吹き出し口からの空調風を化粧カバー本体の下部より円滑に吹き出させることができる。
【００１８】
これに対し、各側板に、上部側板と下部側板とこれらを伸縮自在に連結する連結具とを備え、この連結具を伸張させて、各上部側板に対し各下部側板を下部正面板と共に下方へ離間させて室内空調機の吹き出し口を前方へ開口させることで、ケーシング前面下部に吹き出し口を設けた室内空調機であっても、吹き出し口を簡単に前方へ開口させることができ、前面下部の吹き出し口に応じて化粧カバー本体を対応させることができる。
【００１９】
また、各側板の下端部に室内空調機の下面を下方から覆う遮蔽板を取り付けることで、室内空調機の下面を遮蔽板によって下方から覆って化粧カバー本体の下方からの見栄えを良好に保つことができる。
【００２０】
また、各側板の下端後側に、室内空調機の左右両側のいずれか一方からのダクトの導出方向に応じて取り外される左右一対のダクト用脱着板を脱着自在に取り付けることで、各側板の一方とダクトとの干渉を簡単に回避することができる。
【００２１】
また、各側板の下端後部同士を連結材によって左右方向に連結することで、各側板を下部正面板と共に左右方向に前後で連結して剛性を高めることができる。
【００２２】
更に、上部通風板及び下部正面板にそれぞれスリットを設けることで、上部通風板及び下部正面板のデザイン性を図ることができる上、化粧カバー本体の正面からの圧迫感を低減させることができる。
【図面の簡単な説明】
【００２３】
【図１】本考案の第１の実施の形態に係る室内空調機用化粧カバーの斜視図である。
【図２】図１の化粧カバー本体の上部通風板を半開きにした状態での室内空調機用化粧カバーの斜視図である。
【図３】図１の化粧カバー本体の上部通風板を全開にした状態での室内空調機用化粧カバーの斜視図である。
【図４】図２の上部通風板の半開き状態で上部本体部に対し下部本体部を下降させた状態を示す室内空調機用化粧カバーの斜視図である。
【図５】図３の上部通風板の全開状態で上部本体部に対し下部本体部を下降させた状態を示す室内空調機用化粧カバーの斜視図である。
【図６】図１の化粧カバー本体の上部本体部の左右の両上部側板と第１連結板との連結状態を示す分解斜視図である。
【図７】図６の一方の上部側板と第１連結板との連結状態を説明する説明図である。
【図８】図６の第１連結板で連結した各上部側板と天板（連結板）との連結状態を示す分解斜視図である。
【図９】図８の一方の上部側板と天板との連結状態を説明する説明図である。
【図１０】図８の天板に連結した各上部側板と連結具の上端との連結状態を示す分解斜視図である。
【図１１】図１０の連結具の斜視図である。
【図１２】図８の各上部側板に連結した天板と上部通風板との連結状態を示す分解斜視図である。
【図１３】図１の化粧カバー本体の下部本体部の左右の両下部側板と第２連結板との連結状態を示す分解斜視図である。
【図１４】図１３の一方の下部側板と第２連結板との連結状態を説明する説明図である。
【図１５】図１３の第２連結板で連結した各下部側板と下部正面板との連結状態を示す分解斜視図である。
【図１６】図１５の一方の下部側板と下部正面板との連結状態を説明する説明図である。
【図１７】図１５の上部本体部に連結した連結具の下端と下部本体部との連結状態を示す分解斜視図である。
【図１８】図１７の連結具で連結した各下部側板と各ダクト用脱着板との連結状態を示す分解斜視図である。
【図１９】室内空調機のケーシングに沿ってその周囲の壁面に仮止めした一方のガイドペーパーの正面図である。
【図２０】図１９の一方のガイドペーパーの右側の取付位置に取り付けた吊持具の正面図である。
【図２１】図２０の吊持具の縦断側面図である。
【図２２】図２０の吊持具及びこれに係止される係止具を壁面側から見た斜視図である。
【図２３】本実施の形態の変形例に係る室内空調機のケーシングに沿ってその周囲の壁面に仮止めしたガイドペーパーの正面図である。
【図２４】図２３の他方のガイドペーパーの右側の取付位置に取り付けた吊持具の正面図である。
【図２５】図２４の吊持具及びこれに係止される係止具を壁面側から見た斜視図である。
【図２６】本実施の形態のその他の変形例に係る化粧カバー本体の上部本体部と下部本体部とその下面を覆う遮蔽板との分解斜視図である。
【図２７】本考案の第２の実施の形態に係る化粧カバー本体の上部通風板及び下部正面板を全閉にした状態で室内空調機用化粧カバーを正面側から見た斜視図である。
【図２８】図２７の化粧カバー本体の上部通風板及び下部正面板を全開にした状態で室内空調機用化粧カバーを正面側から見た斜視図である。
【図２９】図２７の室内空調機用化粧カバーを裏面側から見た斜視図である。
【図３０】図２７の化粧カバー本体の左右の両側板と下端連結板との連結状態を示す分解斜視図である。
【図３１】図３０の下端連結板と下部正面板との連結状態を説明する説明図である。
【図３２】図３１の下端連結板と下部正面板とを連結する蝶番の連結状態を示す断面図である。
【図３３】図３１の左右の両側板と下部正面板との連結関係を示す斜視図である。
【図３４】図３３の下部正面板の全開ストッパの取付状態を説明する説明図である。
【図３５】図３３の下部正面板の全閉ストッパの取付状態を説明する説明図である。
【図３６】図２７の化粧カバー本体の天板と上部通風板との連結状態を示す分解斜視図である。
【図３７】図３６の天板と左右の両側板との連結状態を示す分解斜視図である。
【図３８】図３７の天板と左右の両側板との連結状態を説明する説明図である。
【図３９】図３８の上部通風板の全開ストッパの取付状態を説明する説明図である。
【図４０】図３８の左右の両側板と遮蔽板との連結状態を示す分解斜視図である。
【図４１】図４０の下端連結板と遮蔽板との連結状態を説明する説明図である。
【図４２】図４１の左右の両側板とダクト用脱着板との連結状態を説明する説明図である。
【図４３】図４２の天板に対する係止具の取付状態を説明する説明図である。
【図４４】室内空調機のケーシング周囲の壁面に仮止めされるガイドペーパーの説明図である。
【図４５】図４４のガイドペーパーの正面図である。
【図４６】図４５のガイドペーパーの切欠孔に対する吊持具の取付状態を説明する説明図である。
【考案を実施するための形態】
【００２４】
以下、本考案の実施の形態を添付した図面により詳細に説明する。
【００２５】
先ず、図１は本考案の第１の実施の形態に係る室内空調機用化粧カバーの斜視図、図２は化粧カバー本体の上部通風板を半開きにした状態での室内空調機用化粧カバーの斜視図、図３は化粧カバー本体の上部通風板を全開にした状態での室内空調機用化粧カバーの斜視図をそれぞれ示している。また、図４は上部通風板の半開き状態で上部本体部に対し下部本体部を下降させた状態を示す室内空調機用化粧カバーの斜視図、図５は上部通風板の全開状態で上部本体部に対し下部本体部を下降させた状態を示す室内空調機用化粧カバーの斜視図をそれぞれ示している。
【００２６】
図１〜図５において、室内空調機用化粧カバー１は、後述する室内空調機ＥのケーシングＥ１を室内側から覆う化粧カバー本体１０を備えている。この化粧カバー本体１０は、上部本体部２と下部本体部３とを備えている。上部本体部２は、室内空調機の上部左右両側面を外側方から覆う左右一対の上部側板２１，２１と、この各上部側板２１，２１の上端同士を連結する連結板としての天板２２と、各上部側板２１の前端同士をその下端で連結する第１連結板２３と、室内空調機の上部の吸い込み口（図示せず）を通風可能に覆う上部通風板２４とを備えている。上部本体部２の各板２１〜２４は、それぞれ無垢材により形成されている。
【００２７】
下部本体部３は、室内空調機の下部左右両側面を外側方から覆う左右一対の下部側板３１，３１と、この各下部側板３１の前端同士を連結し、室内空調機の前面下部を前方から覆う下部正面板３２と、各下部側板３１の下端の後端位置同士を連結する下端連結板としての第２連結板３３とを備えている。また、下部本体部３の各板３１〜３３も、それぞれ無垢材により形成されている。このように、化粧カバー本体１０は、無垢材よりなる各上部側板２１、天板２２、第１連結板２３、上部通風板２４、各下部側板３１、下部正面板３２及び第２連結板３３を備え、室内空調機ＥのケーシングＥ１を室内側から覆って重厚感のある見栄えを醸し出している。そして、下部本体部３は、各下部側板３１の下端の後端位置同士が第２連結板３３によって連結されてはいるものの、その大半が下方に開口している。この場合、各上部側板２１と各下部側板３１とによって、化粧カバー本体１０の左右の両側板が構成されている。
【００２８】
図６は化粧カバー本体１０の上部本体部２の左右の上部側板２１，２１と第１連結板２３との連結状態を示す分解斜視図、図７は一方の上部側板２１と第１連結板２３との連結状態を説明する説明図をそれぞれ示している。
【００２９】
図６及び図７に示すように、左右の上部側板２１，２１の前端面の下端位置には、図示しない上下一対の穴部が設けられている。一方、第１連結板２３の後面の左右両端位置にも、上下一対の穴部２３１，２３１が同様に設けられている。各上部側板２１の上下の穴部及び第１連結板２３の左右両端位置の上下の穴部２３１，２３１のうち、当該両板２１，２３の下側の穴部２３１には、それぞれ略円柱状の木製ダボ１１，１１が双方向から嵌挿されている。
【００３０】
また、各上部側板２１の上下の穴部及び第１連結板２３の左右両端位置の上下の穴部２３１，２３１のうち、当該両板２１，２３の上側の穴部２３１には、それぞれカムロックボルト１２，１２が挿通されている。この各カムロックボルト１２は、その一側が第１連結板２３の左右両端位置の上側の穴部２３１に対し螺着され、他側が上部側板２１，２１の下端位置の上側の穴部に挿通されている。この各上部側板２１の下端位置の上側の穴部の先端に対応する内側面の対応位置には、凹部２１１（図６では一方のみ示す）が設けられている。そして、各上部側板２１の凹部２１１には、各上部側板２１の上側の穴部に挿通されたカムロックボルト１２の他端を拘束するカムロック受け１３が挿通されている。このカムロック受け１３は、ドライバーＤにより各上部側板２１の凹部２１１内で回転すると、カムロックボルト１２の他端に咬み合って当該カムロックボルト１２を抜け落ち不能に拘束する。なお、木製ダボ１１、カムロックボルト１２及びカムロック受け１３は、便宜上、実物よりも大きく誇張して表している。
【００３１】
図８は第１連結板２３で連結した各上部側板２１と天板２２との連結状態を示す分解斜視図、図９は一方の上部側板２１と天板２２との連結状態を説明する説明図をそれぞれ示している。
【００３２】
図８及び図９に示すように、左右の上部側板２１，２１の上端面には、図示しない３つの穴部が前後方向等間隔置きに設けられている。一方、天板２２の下面の左右両端位置にも、３つの穴部２２１，２２１，２２１が同様に前後方向等間隔置きに設けられている。各上部側板２１の各穴部及び天板２２の左右両端位置の各穴部２２１のうち、当該両板２１，２２の中央の穴部２２１には、それぞれ略円柱状の木製ダボ１１が双方向から嵌挿されている。
【００３３】
また、各上部側板２１の上端の３つの穴部及び天板２２の左右両端位置の３つの穴部２２１，２２１，２２１のうち、当該両板２１，２２の前後両端の穴部２２１，２２１には、それぞれカムロックボルト１２，１２が挿通されている。この各カムロックボルト１２は、その一側が天板２２の左右両端位置の前後両端の穴部２２１，２２１に対し螺着され、他側が上部側板２１，２１の上端面の前後両端の穴部に挿通されている。この各上部側板２１の上端面の前後両端の穴部の先端にそれぞれ対応する内側面の対応位置には、凹部２１２（図８では一方の上部側板２１の凹部のみ示す）が設けられている。そして、各上部側板２１の凹部２１２には、各上部側板２１の前後両端の穴部に挿通されたカムロックボルト１２の他端を拘束するカムロック受け１３が挿通されている。このカムロック受け１３は、ドライバーＤにより各上部側板２１の凹部２１２内で回転すると、カムロックボルト１２の他端に咬み合って当該カムロックボルト１２を抜け落ち不能に拘束する。
【００３４】
図１０は天板２２に連結した各上部側板２１と連結具の上端との連結状態を示す分解斜視図、図１１は連結具の斜視図をそれぞれ示している。
【００３５】
また、図１０及び図１１に示すように、化粧カバー本体１０の左右の両側板は、上部本体部２と下部本体部３との間において、上部側板２１に対し下部側板３１を上下方向へ離接させるように伸縮自在に連結する連結具１４をそれぞれ備えている。この各連結具１４は、連結具本体１４１と、この連結具本体１４１に対し上下方向の所望する４つの位置で段階的に係止される係止片１４２とを備えている。そして、各連結具１４は、その上端となる係止片１４２の先端（上端）が各上部側板２１の内側面の下端部の前後方向略中央位置に対しレンチ式ボルト１５をレンチ１５１により締め付けることで止着されている。
【００３６】
図１２は各上部側板２１に連結した天板２２と上部通風板２４との連結状態を示す分解斜視図を示している。この図１２に示すように、上部通風板２４は、上部本体部２の前面を各上部側板２１、天板２２及び第１連結板２３によって囲む略矩形状の開口を前方から覆うように取り付けられている。また、上部通風板２４は、略矩形状の枠体２４１と、この枠体２４１内に取り付けられた３本のルーバー材２４２，２４２，２４２とからなる。そして、上部通風板２４は、室内空調機の上部の吸い込み口（図示せず）を通風可能に覆うことで、室内空調機への室内空気の取り込みを可能にしている。
【００３７】
また、上部通風板２４は、天板２２に対し左右一対の蝶番１６，１６によって連結されている。各蝶番１６は、上部通風板２４の上端面と、天板２２の下面の前端位置とに複数のビス１７によって止着され、上部通風板２４を前方（手前）へ下開き可能にしている。これにより、上部通風板２４を各蝶番１６回りに上方へ開放させると、室内空調機ＥのケーシングＥ１上部の吸い込み口からフィルターを簡単に取り外して清掃することができる。
【００３８】
図１３は化粧カバー本体１０の下部本体部３の左右の下部側板３１，３１と第２連結板３３との連結状態を示す分解斜視図、図１４は一方の下部側板３１と第２連結板３３との連結状態を説明する説明図をそれぞれ示している。
【００３９】
図１３及び図１４に示すように、左右の下部側板３１，３１の内側面の後端部下端位置には、それぞれ前後一対の穴部３１１，３１１が設けられている。一方、第２連結板３３の左右両端面にも、前後一対の穴部３３１，３３１が同様に設けられている。各下部側板３１の前後の穴部３１１，３１１及び第２連結板３３の左右両端面の前後の穴部３３１，３３１のうち、当該両板３１，３３の前側の穴部３１１，３３１には、それぞれ略円柱状の木製ダボ１１，１１が双方向から嵌挿されている。
【００４０】
また、各下部側板３１の前後の穴部３１１，３１１及び第２連結板３３の左右両端面の前後の穴部３３１，３３１のうち、当該両板３１，３３の後側の穴部３３１，３３１には、それぞれカムロックボルト１２，１２が挿通されている。この各カムロックボルト１２は、その一側が下部側板３１，３１の後端部下端位置の後側の穴部３１１に螺着され、他側が第２連結板３３の左右両端面の後側の穴部３３１に挿通されている。この第２連結板３３の左右両端面の後側の穴部３３１の先端に対応する上面の対応位置には、凹部３３２，３３２が設けられている。そして、第２連結板３３の各凹部３３２には、第２連結板３３の後側の穴部３３１に挿通されたカムロックボルト１２の他端を拘束するカムロック受け１３が挿通されている。このカムロック受け１３は、ドライバーＤにより第２連結板３３の各凹部３３２内で回転すると、カムロックボルト１２の他端に咬み合って当該カムロックボルト１２を抜け落ち不能に拘束する。このように、各下部側板３１の後端部下端位置同士が第２連結材３３によって左右方向に連結されているので、各下部側板３１を下部正面板３２と共に左右方向に前後で連結して剛性を高めることができる。
【００４１】
図１５は第２連結板３３で連結した各下部側板３１と下部正面板３２との連結状態を示す分解斜視図、図１６は一方の下部側板３１と下部正面板３２との連結状態を説明する説明図をそれぞれ示している。
【００４２】
図１５及び図１６に示すように、左右の下部側板３１，３１の前端面には、上下一対の穴部３１２，３１２が設けられている。一方、下部正面板３２の後面の左右両端位置にも、上下一対の穴部（図示せず）が設けられている。各下部側板３１の各穴部３１２及び下部正面板３２の左右両端位置の各穴部のうち、当該両板３１，３２の下側の穴部３１２には、それぞれ略円柱状の木製ダボ１１が双方向から嵌挿されている。
【００４３】
また、各下部側板３１の上下の穴部３１２，３１２及び下部正面板３２の左右両端位置の上下の穴部のうち、当該両板３１，３２の上側の穴部３１２には、それぞれカムロックボルト１２，１２が挿通されている。この各カムロックボルト１２は、その一側が下部正面板３２の左右両端位置の上側の穴部に対し螺着され、他側が各下部側板３１の前端面の上側の穴部３１２に挿通されている。この各下部側板３１の前端面の上側の穴部３１２の先端にそれぞれ対応する後面の対応位置には、凹部３１３（図１５では一方の下部側板３１の凹部のみ示す）が設けられている。そして、各下部側板３１の凹部３１３には、各下部側板３１の前端面の上側の穴部３１２に挿通されたカムロックボルト１２の他端を拘束するカムロック受け１３が挿通されている。このカムロック受け１３は、ドライバーＤにより各下部側板３１の凹部３１３内で回転すると、カムロックボルト１２の他端に咬み合って当該カムロックボルト１２を抜け落ち不能に拘束する。
【００４４】
図１７は上部本体部２に連結した連結具１４の下端と下部本体部３との連結状態を示す分解斜視図を示している。この図１７に示すように、各連結具１４は、その下端となる連結具本体１４１の先端（下端）が各下部側板３１の内側面の上端部の前後方向略中央位置に対しレンチ式ボルト１５をレンチ１５１により締め付けることで止着されている。そして、下部本体部３は、室内空調機ＥのケーシングＥ１の下部の吹き出し口（図示せず）の前方に下部正面板３２が位置しているとき、連結具本体１４１に対する係止片１４２の係止位置を変更して各連結具１４を伸張させることによって上部本体部２に対し下降させることで、室内空調機ＥのケーシングＥ１の吹き出し口からの空調風の吹き出しを邪魔せずに円滑に行えるようにしている。これにより、ケーシングＥ１の前面下部に吹き出し口を設けた室内空調機Ｅであっても、吹き出し口を簡単に前方へ開口させることができ、前面下部の吹き出し口に応じて化粧カバー本体１０を対応させることができる。
【００４５】
図１８は連結具１４で連結した各下部側板３１と各ダクト用脱着板との連結状態を示す分解斜視図を示している。図１８に示すように、各下部側板３１の後端面には、無垢材により形成されたダクト用脱着板３５がそれぞれ取り付けられている。各下部側板３１の後端面には、上下一対の穴部（図示せず）が設けられている。一方、各ダクト用脱着板３５の前面にも、上下一対の穴部３５１，３５１が設けられている。各下部側板３１の各穴部及び各ダクト用脱着板３５の各穴部３５１には、それぞれ略円柱状の木製ダボ１１，１１が双方向から嵌挿されている。この各ダクト用脱着板３５は、室内空調機ＥのケーシングＥ１の左右両側のいずれか一方から外側方へ導出されるダクト（図示せず）の導出方向に応じて取り外される。これにより、各下部側板３１の一方とダクトとの干渉を簡単に回避することができる。
【００４６】
図１９は室内空調機ＥのケーシングＥ１に沿ってその周囲の壁面に仮止めした一方のガイドペーパーの正面図、図２０は一方のガイドペーパーの右側の取付位置に取り付けた吊持具の正面図、図２１は吊持具の縦断側面図、図２２は吊持具及びこれに係止される係止具を壁面側から見た斜視図をそれぞれ示している。
【００４７】
図１９及び図２０に示すように、室内空調機用化粧カバー１は、室内空調機ＥのケーシングＥ１の周囲の壁面Ｋに仮止めされるガイドペーパー５１を備えている。このガイドペーパー５１は、壁面Ｋに仮止め可能な程度の接着性を有し、室内空調機ＥのケーシングＥ１の上端に沿って壁面Ｋに接着される。このとき、ガイドペーパー５１の左右方向の長さは、室内空調機ＥのケーシングＥ１の上端での左右方向の長さと一致している。
【００４８】
また、ガイドペーパー５１の左右両端部には、室内空調機ＥのケーシングＥ１の周囲の壁面Ｋに対し左右の吊持具５０，５０を正確な取付位置に取り付けるために予め記された切欠孔５２，５２が設けられている。各切欠孔５２は、各吊持具５０の壁面Ｋに対して設置される設置片５０１と同じ形状に形成され、室内空調機ＥのケーシングＥ１の上端に沿って壁面Ｋに対し正確に仮止めしたガイドペーパー５１の左右両端部の切欠孔５２を介して壁面Ｋへの左右の取付位置にそれぞれ合致させた状態で各吊持具５０の設置片５０１が壁面Ｋに対して取り付けられている。
【００４９】
図２１及び図２２に示すように、天板２２の下面の後端位置には、左右一対の断面略Ｌ字状の係止具２６，２６が固着されている。各係止具２６は、天板２２の下面後端位置に固着される固着片２６１と、この固着片２６１の後端より折曲して天板２２の後端面と面一状に下方へ延びる係止片２６２とを備えている。また、各吊持具５０の設置片５０１の下部には、各係止具２６の係止片２６２を受け止める受け止め片５０２が一体的に設けられている。この受け止め片５０２は、設置片５０１の下部より係止片２６２の厚み分だけ前方へ突出し、その突出端より係止片２６２の下方への延出量と同じ長さだけ上方へ突出している。これにより、室内空調機ＥのケーシングＥ１の上端に沿って壁面Ｋに仮止めしたガイドペーパー５１の左右両端部に予め記されている切欠孔５２，５２を介して壁面Ｋへの左右の取付位置にそれぞれ合致させた状態で左右の吊持具５０，５０の設置片５０１を取り付け、その各吊持具５０の受け止め片５０２に、天板２２の下面の後端左右両位置に固着片２６１，２６１をそれぞれ固着した各係止具２６の係止片２６２がそれぞれ係止されているので、嵩張る化粧カバー本体１０を壁面Ｋに沿わせることなく、当該化粧カバー本体１０の左右の係止具２６，２６に対し係止可能な壁面Ｋの合致位置に左右の吊持具５０，５０を簡単かつ正確に取り付けることができる。
【００５０】
なお、本実施の形態では、ガイドペーパー５１を室内空調機ＥのケーシングＥ１の上端に沿って壁面Ｋに接着したが、図２３〜図２５に示すように、室内空調機ＥのケーシングＥ１の上端と天井（図示せず）との間に十分な隙間が存在していないような場合に、室内空調機ＥのケーシングＥ１の左右両側面及び下面に沿って壁面Ｋに接着される略Ｕ字状のガイドペーパー５５であってもよい。このガイドペーパー５５には、室内空調機ＥのケーシングＥ１の周囲の壁面Ｋに対し左右の吊持具５０，５０を化粧カバー本体１０の左右の係止具２６，２６に対し係止可能な壁面Ｋの合致位置に取り付けるために予め記された切欠孔５５１，５５１が設けられている。各切欠孔５５１は、ケーシングＥ１の左右両側の上端にそれぞれ対応し、各吊持具５０の設置片５０１と同じ形状に形成されている。そして、各吊持具５０の設置片５０１は、室内空調機ＥのケーシングＥ１の左右両側の上端に沿って壁面Ｋに対し正確に仮止めしたガイドペーパー５５の左右両端部の切欠孔５５１を介して壁面Ｋへの左右の合致位置にそれぞれ取り付けられる。
【００５１】
また、本実施の形態では、各下部側板３１の下端の後端位置同士を第２連結板３３によって連結しているものの、下部本体部３の大半を下方に開口させたが、図２６に示すように、下部本体部３の下面（開口部）を下方から覆う遮蔽板３８が設けられていてもよい。この遮蔽板３８は、無垢材よりなり、各下部側板３１の下端部をそれぞれ前後方向へ延びる略コ字状の案内溝３６に前後方向に摺動自在に取り付けられている。また、下部正面板３２の下端部にも左右方向へ延びる略コ字状の溝３７が設けられ、遮蔽板３８を各案内溝３６で前方へ摺動案内した際にその前端が嵌入されることで、室内空調機ＡのケーシングＥ１を遮蔽板３８によって下方から隙間なく覆って化粧カバー本体１０の下方からの見栄えを良好に保つことができる。
更に、各下部側板３１の下端の後端位置に、第２連結板３３に代えて金属材よりなる連結材３９を連結し、この連結材３９が上部本体部２に対し下部本体部３を昇降させる際の把持部として使用されていてもよい。この場合には、連結材３９がアクセントとなって化粧カバー本体１０の下方からの見栄えを引き締める効果が期待できる上、下部本体部３を上部本体部２に対して昇降させる際の操作性を高めることも可能となる。
【００５２】
また、本実施の形態では、室内空調機ＥのケーシングＥ１下部の吹き出し口の前方に下部正面板３２が位置しているために上部本体部２に対し下部本体部３を下降させたが、室内空調機のケーシングの下面に吹き出し口が設けられている場合には、連結具本体に対する係止片の係止位置を変更して各連結具を収縮させることによって、上部本体部に対し下部本体部を上昇させればよい。
【００５３】
更に、室内空調機のケーシングの下面に吹き出し口が設けられている場合に、各下部側板の下端部をそれぞれ前後方向へ延びる略コ字状の案内溝を設け、この各案内溝に、室内空調機のケーシング下面の吹き出し口を通風可能に覆う無垢材よりなる下部通風板が前後方向に摺動自在に取り付けられていてもよい。この下部通風板は、略矩形状の枠体と、この枠体内に取り付けられた複数本のルーバー材とで形成される。この場合には、室内空調機のケーシング下面を下部通風板によって下方から覆って化粧カバー本体の下方からの見栄えを良好に保ちつつ、ケーシング下面の吹き出し口からの空調風を円滑に吹き出すことが可能となる。
【００５４】
また、本実施の形態では、各上部側板２１同士を天板２２により連結し、この天板２２の前端に左右一対の蝶番１６，１６を介して上部通風板２４を設けたが、室内空調機のケーシングの上面に吸い込み口が設けられている場合に、室内空調機のケーシングの上面を上方から覆うように上部通風板を設け、この上部通風板を、各上部側板の前端同士を連結する連結板の上端に左右一対の蝶番を介して開閉可能に取り付けていてもよい。
【００５５】
次に、本考案の第２の実施の形態を図面に基づいて説明する。
【００５６】
この実施の形態では、室内空調機用化粧カバーの化粧カバー本体の構成を変更している。なお、化粧カバー本体を除くその他の構成は、前記第１の実施の形態と同じであり、同一部分については同じ符号を付してその詳細な説明は省略する。図２７は本考案の第２の実施の形態に係る化粧カバー本体の上部通風板及び下部正面板を全閉にした状態で室内空調機用化粧カバーを正面側から見た斜視図、図２８は化粧カバー本体の上部通風板及び下部正面板を全開にした状態で室内空調機用化粧カバーを正面側から見た斜視図、図２９は室内空調機用化粧カバーを裏面側から見た斜視図をそれぞれ示している。
【００５７】
すなわち、本実施の形態では、図２７〜図２９に示すように、室内空調機用化粧カバー６は、室内空調機ＥのケーシングＥ１を室内側から覆う化粧カバー本体６０を備えている。この化粧カバー本体６０は、室内空調機ＥのケーシングＥ１の左右両側面を外側方から覆う左右一対の側板６１，６１と、これらの側板６１，６１同士をその上端で連結する連結板としての天板６２と、室内空調機ＥのケーシングＥ１の上部の吸い込み口を通風可能に覆う上部通風板６３と、室内空調機ＥのケーシングＥ１の前面下部を前方から覆う下部正面板６４と、側板６１，６１同士をその下端で連結し、下部正面板６４が蝶番を介して開閉自在に取り付けられた下端連結板６５と、左右の吊持具５０，５０及び係止具２６，２６と、を備えている。化粧カバー本体６０の各側板６１、天板６２、上部通風板６３、下部正面板６４及び下端連結板６５は、それぞれ無垢材により形成されている。また、上部通風板６３及び下部正面板６４には、左右方向に延びる複数のスリット６６，６６，…が上下方向等間隔置きに設けられている。
【００５８】
図３０は化粧カバー本体６０の左右の両側板６１，６１と下端連結板６５との連結状態を示す分解斜視図を示している。この図３０において、下端連結板６５の左右両端面には、その前後方向３箇所に穴部６５１，６５１，６５１が設けられている。一方、両側板６１，６１が互いに対向する内面の下端前側にも、その前後方向３箇所に穴部６１１，６１１，６１１が設けられている。そして、下端連結板６５の左右両端面の穴部６５１，６５１，６５１及び両側板６１，６１の穴部６１１，６１１，６１１のうち、当該両板６５，６１の前後方向中央の穴部６５１，６１１には、それぞれ略円柱状の木製ダボ１１，１１が接着剤（図示せず）を介して双方向から嵌挿されている。
【００５９】
また、下端連結板６５の左右両端面の穴部６５１，６５１，６５１及び両側板６１，６１の穴部６１１，６１１，６１１のうち、当該両板６５，６１の前後両端の各穴部６５１，６１１には、それぞれカムロックボルト１２，１２が挿通されている。この各カムロックボルト１２は、その一側が側板６１，６１の内面の下端前側における前後両端の穴部６１１，６１１に対し螺着され、他側が下端連結板６５の左右両端面の前後両端の穴部６５１，６５１に挿通されている。この下端連結板６５の左右両端面の前後両位置の穴部６５１，６５１の先端にそれぞれ対応する上側面の対応位置には、凹部６５２，６５２，…が設けられている。そして、下端連結板６５の凹部６５２には、下端連結板６５の左右両端の前後両位置の穴部６５１，６５１にそれぞれ挿通されたカムロックボルト１２の他端を拘束するカムロック受け１３が挿通されている。
【００６０】
図３１は下端連結板６５と下部正面板６４との連結状態を説明する説明図、図３２は下端連結板６５と下部正面板６４とを連結する蝶番の連結状態を示す断面図をそれぞれ示している。
【００６１】
図３１及び図３２に示すように、下部正面板６４は、下端連結板６５に対し左右方向等間隔置きの３つの蝶番６７，６７，６７を介して連結されている。各蝶番６７は、断面略Ｌ字状の段付蝶番部材６７１と断面略Ｉ字状の平板蝶番部材６７２とをピン軸６７３回りに回動自在に支持して構成されている。そして、各蝶番６７の段付蝶番部材６７１は、その縦面を下端連結板６５の前端面に沿わせた状態で当該下端連結板６５の上面前端位置に２本の木ねじ６７４，６７４によって止着されている。一方、各蝶番６７の平板蝶番部材６７２は、下部正面板６４の裏面下端位置に２本の木ねじ６７４，６７４によって止着されている。このとき、下部正面板６４の裏面と下端連結板６５の上面との間には、各蝶番６７の段付蝶番部材６７１によって下端連結板６５の厚みに相当する段差が存在しているため、下部正面板６４の厚みに等しい厚さの梱包材６７５などを下端連結板６５の下面に敷くことで、各蝶番６７の段付蝶番部材６７１及び平板蝶番部材６７２に対する木ねじ６７４，６７４の止着が両者６７１，６７２間の段差によるがたつきを防止しつつ円滑に行える。
【００６２】
図３３は左右の両側板６１，６１と下部正面板６４との連結関係を示す斜視図、図３４は下部正面板６４の全開ストッパの取付状態を説明する説明図、図３５は下部正面板６４の全閉ストッパの取付状態を説明する説明図をそれぞれ示している。
【００６３】
図３３に示すように、下部正面板６４の左右両端のうちの一方（図３３では左端）と、左右の両側板６１，６１のうちの一方端（図３３では左側）との間には、下部正面板６４の開放時に全開姿勢で保持する全開ストッパ６８が設けられている。また、下部正面板６４の左右両端のうちの他方端（図３３では右端）と、左右の両側板６１，６１のうちの他方（図３３では右側）との間には、下部正面板６４の閉塞時に全閉姿勢で保持する全閉ストッパ６９が設けられている。
【００６４】
図３４に示すように、全開ストッパ６８は、下部正面板６４の一方端の裏面に金具６８１を介して一端が回動自在に支持された第１ステー６８２と、一方の側板６１の内面の下側前端位置に金具６８３を介して一端が回動自在に支持された第２ステー６８４と、第１ステー６８２の他端と第２ステー６８４の他端とを回動自在に支持する円板状の支持部６８５とを備えている。各金具６８１，６８３は、下部正面板６４の一方端の裏面及び一方の側板６１の内面の下側前端位置に対しそれぞれ２本の木ねじ６８６，６８６によって止着されている。そして、全開ストッパ６８は、第１ステー６８２及び第２ステー６８４が下部正面板６４の開放に伴って折り曲げ姿勢から支持部６８５回りに伸長し、全開姿勢となった時点から支持部６８５を手動で手前に引き出す動作を加えて第１ステー６８２及び第２ステー６８４の姿勢を若干逆転させることで、下部正面板６４を全開姿勢で保持している。これにより、下部正面板６４の開放によって吹き出し口が前方へ開口し、吹き出し口からの空調風を化粧カバー本体６０の下部より円滑に吹き出させることができる。
【００６５】
図３５に示すように、全閉ストッパ６９は、下部正面板６４の他方端の裏面に基部が取り付けられた突片６９１と、他方の側板６１の内面の下側前端位置に取り付けられ、突片６９１をキャッチするローラ部材６９２とを備えている。突片６９１及びローラ部材６９２は、下部正面板６４の他方端の裏面及び他方の側板６１の内面の下側前端位置に対しそれぞれ２本の木ねじ６９３，６９３によって止着されている。そして、全閉ストッパ６９は、下部正面板６４の閉塞時に突片６９１をローラ部材６９２によってキャッチすることで、下部正面板６４を全閉姿勢で保持している。
【００６６】
図３６は化粧カバー本体６０の天板６２と上部通風板６３との連結状態を示す分解斜視図を示している。この図３６において、上部通風板６３は、天板６２に対し左右方向等間隔置きの３つの蝶番６７，６７，６７を介して連結されている。そして、各蝶番６７の段付蝶番部材６７１は、その縦面を天板６２の前端面に沿わせた状態で当該天板６２の下面前端位置に２本の木ねじ６７４，６７４によって止着されている。一方、各蝶番６７の平板蝶番部材６７２は、上部通風板６３の裏面上端位置に２本の木ねじ６７４，６７４によって止着されている。このとき、上部通風板６３の裏面と天板６２の下面との間には、各蝶番６７の段付蝶番部材６７１によって天板６２の厚みに相当する段差が存在しているため、上部通風板６３の厚みに等しい厚さの梱包材６７５などを天板６２の上面に敷くことで、各蝶番６７の段付蝶番部材６７１及び平板蝶番部材６７２に対する木ねじ６７４，６７４の止着が両者６７１，６７２間の段差によるがたつきを防止しつつ円滑に行える。
【００６７】
図３７は天板６２と左右の両側板６１，６１との連結状態を示す分解斜視図を示している。この図３７において、天板６２の下面の左右両端位置には、前後方向等間隔置きの４箇所に穴部６２１，６２１，…が設けられている。一方、各側板６１の上面には、天板６２の下面の各穴部６２１にそれぞれ対応する前後方向等間隔置きの４箇所の穴部（図示せず）が設けられている。そして、天板６２の下面の左右両端位置の穴部６２１，６２１，…及び各側板６１の上面の穴部のうち、当該両板６２，６１の前後方向中央２箇所の各穴部６２１には、それぞれ略円柱状の木製ダボ１１，１１が接着剤（図示せず）を介して双方向から嵌挿されている。
【００６８】
また、天板６２の下面の左右両端位置の穴部６２１，６２１，…及び各側板６１の上面の穴部のうち、当該両板６２，６１の前後方向両端２箇所の各穴部６２１には、それぞれカムロックボルト１２，１２が挿通されている。この各カムロックボルト１２は、その一側が天板６２の下面の左右両端位置における前後方向両端の各穴部６２１に対し螺着され、他側が各側板６１の上面の前後方向両端の各穴部６２１に挿通されている。この各側板６１の上面の前後方向両端の穴部の先端にそれぞれ対応する内面の対応位置には、凹部６１２，６１２（図３７では一方のみ示す）が設けられている。そして、各側板６１の凹部６１２には、各側板６１の上面の前後方向両端の各穴部にそれぞれ挿通されたカムロックボルト１２の他端を拘束するカムロック受け１３が挿通されている。
【００６９】
図３８は天板６２と左右の両側板６１，６１との連結状態を説明する説明図、図３９は上部通風板６３の全開ストッパの取付状態を説明する説明図をそれぞれ示している。
【００７０】
図３８及び図３９に示すように、上部通風板６３の左右両端と、左右の両側板６１，６１との間には、上部通風板６３の開放時に全開姿勢で保持する全開ストッパ６８が設けられている。各全開ストッパ６８は、第１ステー６８２の一端が上部通風板６３の左右両端の裏面に金具６８１を介して回動自在に支持され、第２ステー６８４の一端が各側板６１の内面の上側前端位置に金具６８３を介して回動自在に支持されている。このとき、上部通風板６３は、各全開ストッパ６８による全開姿勢での保持が解除されたときに自重で全閉姿勢に戻って全閉姿勢に保持される。
【００７１】
図４０は左右の両側板６１と遮蔽板との連結状態を示す分解斜視図を示している。この図４０において、化粧カバー本体６０は、その下面を下方から覆う遮蔽板７０を備えている。この遮蔽板７０は、無垢材よりなり、その前面を下端連結板６５の後面に沿わせた状態で、左右両側板６１，６１の内面下端位置にそれぞれ前後一対のＬ型金具７０１，７０１を介して取り付けられている。各Ｌ型金具７０１は、遮蔽板７０の上面の左右両端の前後２箇所と左右両側板６１，６１の内面下端位置の前後２箇所とに対しレンチ式ボルト７０２をレンチ７０３により締め付けることで止着されている。
【００７２】
図４１は下端連結板６５と遮蔽板７０との連結状態を説明する説明図を示している。この図４１において、下端連結板６５と遮蔽板７０とは、左右２箇所の連結具７０４，７０４によって連結されている。
【００７３】
図４２は左右の両側板６１，６１とダクト用脱着板との連結状態を説明する説明図を示している。この図４２において、左右の両側板６１，６１の後端部下端位置には、それぞれ略Ｌ字状に切り欠いた切欠部６１３が設けられている。この各切欠部６１３には、当該各切欠部６１３をそれぞれ個別に塞いで各側板６１を側面視で略矩形状に復元するダクト用脱着板７１が取り付けられている。この場合、遮蔽板７０の後端は、各側板６１の切欠部６１３の前端に位置している。
【００７４】
また、ダクト用脱着板７１も無垢材により形成されている。このように、化粧カバー本体６０が、無垢材よりなる各側板６１、天板６２、上部通風板６３、下部正面板６４、下端連結板６５、遮蔽板７０及びダクト用脱着板７１を備え、室内空調機ＥのケーシングＥ１を室内側から覆って重厚感のある見栄えを醸し出している。
【００７５】
左右の両側板６１，６１の切欠部６１３の後面には、上下一対の穴部６１４，６１４が設けられている。一方、各ダクト用脱着板７１の前面にも、上下一対の穴部（図示せず）が設けられている。各側板６１の切欠部６１３の各穴部６１４及び各ダクト用脱着板７１の各穴部には、それぞれ略円柱状の木製ダボ１１，１１が双方向から嵌挿されている。このとき、各木製ダボ１１は、各ダクト用脱着板７１の各穴部に対してのみ接着剤を介して固着され、各側板６１の切欠部６１３の各穴部６１４からの離脱を可能にしている。そして、各ダクト用脱着板７１は、室内空調機ＥのケーシングＥ１の左右両側のいずれか一方から外側方へ導出されるダクト（図示せず）の導出方向に応じて取り外され、各側板６１の一方とダクトとの干渉を簡単に回避できる。この場合、遮蔽板７０の後端が各側板６１の切欠部６１３の前端に位置していることから、ダクトと遮蔽板７０との干渉も円滑に回避できる。
【００７６】
図４３は天板６２に対する係止具の取付状態を説明する説明図を示している。この図４３において、天板６２の下面の後端位置には、左右一対の係止具７２，７２が３本の木ねじ７２１，７２１，７２１によって止着されている。この各係止具７２は、断面略Ｌ字状に形成され、天板６２の下面に止着される止着片７２２と、この止着片７２２の後端より折曲して天板６２の後端面とほぼ面一状に下方へ延びる係止片７２３とを備えている。
【００７７】
図４４は室内空調機ＥのケーシングＥ１周囲の壁面Ｋに仮止めされるガイドペーパーの説明図、図４５はガイドペーパーの正面図、図４６はガイドペーパーの切欠孔に対する吊持具の取付状態を説明する説明図をそれぞれ示している。
【００７８】
図４４に示すように、ガイドペーパー７５０を作成する作成用紙７５から左右のガイドペーパー片７５１，７５２をそれぞれ切り離し、双方のガイドペーパー片７５１，７５２の中央を一方のガイドペーパー片７５２ののりしろで繋ぐと、図４５に示すように、ガイドペーパー７５０が作成される。このガイドペーパー７５０の左右両端には予め切欠孔７５３，７５３が予め記されており、この各切欠孔７５３を切り欠いてから、室内空調機ＥのケーシングＥ１の上側に対応する壁面Ｋの対応位置に当該ケーシングＥ１の左右方向中央にのりしろが位置するようにガイドペーパー７５０をホッチキス７６の針７６１で仮止めしておく。それから、ガイドペーパー７５０の各切欠孔７５３に合わせて吊持具７４をそれぞれ壁面Ｋに止着する。この場合、壁面Ｋは石膏ボードよりなり、各吊持具７４としては、石膏ボード用固定金具（例えば、商品名壁美人（登録商標））等が適用されている。
【００７９】
各吊持具７４には、図４６にも示すように、略矩形平板形状の吊持具本体７４０の中央部において係止具７２の係止片７２３を受け止める受け止め片７４１が一体的に設けられている。また、吊持具本体７４０の上下両側には、ホッチキス７６の針７６１を上下２箇所に打ち込むための４つの窓部７４２，７４２，…が左右方向等間隔置きに設けられている。更に、各吊持具７４の上下両側には、吊持具本体７４０の各窓部７４２に対し表面側（反壁面Ｋ側）からそれぞれ嵌入される４つの嵌入部７５１，７５１，…を有する打ち込みフィルム７５，７５が取り付けられている。
【００８０】
そして、各吊持具７４の上下両側の各窓部７４２に対し打ち込みフィルム７５の各嵌入部７５１を介してホッチキス７６の針７６１を上下２箇所に打ち込むことで、各吊持具７４を壁面Ｋに対し強固に止着している。これにより、天板６２の下面の後端左右両位置に止着片７２２，７２２をそれぞれ止着した各係止具７２の係止片７２３に対し左右の吊持具７４，７４の受け止め片７４１がそれぞれ確実に係止され、嵩張る化粧カバー本体６０を壁面Ｋに沿わせることなく、当該化粧カバー本体６０の左右の係止具７２，７２に対し係止可能な壁面Ｋの合致位置に左右の吊持具７４，７４を簡単かつ正確に取り付けることができる。
【００８１】
また、上部通風板６３及び下部正面板６４に左右方向に延びる複数のスリット６６，６６，…が上下方向等間隔置きに設けられているので、上部通風板６３及び下部正面板６４のデザイン性を図ることができる上、化粧カバー本体６０の正面からの圧迫感を低減させることができる。
【００８２】
なお、本考案は、前記各実施の形態に限定されることはなく、その他種々の変形例を包含している。例えば、前記各実施の形態では、無垢材により形成したが、合板などの木材やステンレスなどの金属の他、合成樹脂などの材質により形成されていてもよい。この場合には、好みに応じた材質よりなる化粧カバー本体によって室内空調機のケーシングを室内側から覆うことで、ユーザーの好みに応じた雰囲気を醸し出すことが可能となる。
【００８３】
また、前記第２の実施の形態では、室内空調機ＥのケーシングＥ１の上側に対応する壁面Ｋの対応位置に当該ケーシングＥ１の左右方向中央にのりしろが位置するようにガイドペーパー７５０を仮止めしたが、ガイドペーパーののりしろが必ずしもケーシングの左右方向中央に位置するように仮止めしなくてもよく、ケーシングの側方の壁や天井との間に十分な余裕がなければ、ケーシングの左右方向中央に対してのりしろを変位させた位置にガイドペーパーが仮止めされていてもよい。
【符号の説明】
【００８４】
１        室内空調機用化粧カバー
１０      化粧カバー本体
１４      連結具
１６      蝶番
２１      上部側板
２２      天板（連結板）
２４      上部通風板
２６      係止具
３１      下部側板
３２      下部正面板
３３      第２連結板（下端連結板）
３５      ダクト用脱着板
３６      案内溝
３８      遮蔽板
３９      連結材
５０      吊持具
５１      ガイドペーパー
５５      ガイドペーパー
６        室内空調機用化粧カバー
６０      化粧カバー本体
６１      側板
６２      天板（連結板）
６３      上部通風板
６４      下部正面板
６５      下端連結板
６７      蝶番
７０      遮蔽板
７１      ダクト用脱着板
７２      係止具
７４      吊持具
７５０    ガイドペーパー
Ｅ        室内空調機
Ｅ１      ケーシング
Ｋ        壁面
【図１】
0003204439.tif 000003
【図２】
0003204439.tif 000004
【図３】
0003204439.tif 000005
【図４】
0003204439.tif 000006
【図５】
0003204439.tif 000007
【図６】
0003204439.tif 000008
【図７】
0003204439.tif 000009
【図８】
0003204439.tif 000010
【図９】
0003204439.tif 000011
【図１０】
0003204439.tif 000012
【図１１】
0003204439.tif 000013
【図１２】
0003204439.tif 000014
【図１３】
0003204439.tif 000015
【図１４】
0003204439.tif 000016
【図１５】
0003204439.tif 000017
【図１６】
0003204439.tif 000018
【図１７】
0003204439.tif 000019
【図１８】
0003204439.tif 000020
【図１９】
0003204439.tif 000021
【図２０】
0003204439.tif 000022
【図２１】
0003204439.tif 000023
【図２２】
0003204439.tif 000024
【図２３】
0003204439.tif 000025
【図２４】
0003204439.tif 000026
【図２５】
0003204439.tif 000027
【図２６】
0003204439.tif 000028
【図２７】
0003204439.tif 000029
【図２８】
0003204439.tif 000030
【図２９】
0003204439.tif 000031
【図３０】
0003204439.tif 000032
【図３１】
0003204439.tif 000033
【図３２】
0003204439.tif 000034
【図３３】
0003204439.tif 000035
【図３４】
0003204439.tif 000036
【図３５】
0003204439.tif 000037
【図３６】
0003204439.tif 000038
【図３７】
0003204439.tif 000039
【図３８】
0003204439.tif 000040
【図３９】
0003204439.tif 000041
【図４０】
0003204439.tif 000042
【図４１】
0003204439.tif 000043
【図４２】
0003204439.tif 000044
【図４３】
0003204439.tif 000045
【図４４】
0003204439.tif 000046
【図４５】
0003204439.tif 000047
【図４６】
0003204439.tif 000048